【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
第１側板と、前記第１側板と軸方向に間隔をあけて配置された第２側板と、を有するリール本体と、
前記第１側板と前記第２側板との間に回転可能に配置され、外周に釣糸を巻き付け可能な糸巻胴部と、前記糸巻胴部の前記第１側板側の一端に前記糸巻胴部よりも大径に形成された第１フランジ部と、前記糸巻胴部の前記第２側板側の一端に前記糸巻胴部よりも大径に形成された第２フランジ部と、を有するスプールと、
前記リール本体の第１側板側に配置された環状の防水部材と、
を備え、
前記第１フランジ部は、前記第１フランジ部から軸方向外方に延びるとともに前記第１フランジ部の最外径部よりも小径である環状のリブを有し、
前記防水部材は、前記第１フランジ部のリブの内周面に対向かつ近接して配置された、
両軸受リール。
【請求項２】
前記防水部材は、円板状であり、前記第１フランジ部のリブの内周面に対向かつ近接して配置された第１外周部と、前記第１外周部の外径よりも小径であり前記第１外周部よりも軸方向外方に設けられた第２外周部と、を有する、
請求項１に記載の両軸受リール。
【請求項３】
前記リール本体は、前記第１側板側から前記糸巻胴部側に向かって突出するとともに前記第１フランジ部の内周部に配置されるボス部をさらに有し、
前記防水部材は、弾性材料で形成されるとともに前記ボス部の外周に装着され、前記第１フランジ部の内周部と前記ボス部の外周部との間に侵入する水を抑える、
請求項１又は２に記載の両軸受リール。
【請求項４】
前記スプールの第１フランジ部は、前記第１フランジ部のリブよりも内周側において前記第１フランジ部から軸方向外方に突出して形成された少なくとも１つの環状の凸部をさらに有し、
前記凸部は、前記第１フランジ部のリブよりも軸方向の長さが短い、
請求項１から３のいずれか１項に記載の両軸受リール。
【請求項５】
前記リブの内周面は、軸方向外方に延びるにしたがって前記リブの内周面の外径が徐々に大きくなるように傾斜するテーパ面である、
請求項１から４のいずれか１項に記載の両軸受リール。
【請求項６】
前記リブの外周面は、軸方向外方に延びるにしたがって前記リブの外周面の外径が徐々に小さくなるように傾斜するテーパ面である、
請求項１から５のいずれかに記載の両軸受リール。
【手続補正２】
【補正対象書類名】明細書
【補正対象項目名】全文
【補正方法】変更
【補正の内容】
【発明の詳細な説明】
【発明の名称】両軸受リール
【技術分野】
【０００１】
本発明は、釣用リール、特に両軸受リールに関する。
【背景技術】
【０００２】
従来の釣用リール、例えば両軸受リールには、軸受部材の内部やドラグ機構内への水の浸入を防止するための防水構造が設けられたものがある。例えば、特許文献１に記載の防水構造は、カバー部材と、制動環体とにラビリンス構造（多数の凹凸部が連続的に形成された構造）の囲繞壁を形成して、ドラグ機構への水の浸入を防止している。
【先行技術文献】
【特許文献】
【０００３】
【特許文献１】特開２００４−１８０５３０号公報
【発明の概要】
【発明が解決しようとする課題】
【０００４】
特許文献１に記載の防水構造は、ラビリンス構造の囲繞壁を形成してドラグ機構への水の浸入を防止しているが、この場合、ラビリンス構造を構成する複数の部材それぞれが複雑な形状になるため、各部材の成型精度や組立て精度を確保することが難しい。
【０００５】
本発明の課題は、簡単な構成で軸受部材の内部への水の浸入を抑えることができる両軸受リールを提供できるようにすることにある。
【課題を解決するための手段】
【０００６】
本発明に係る両軸受リールは、リール本体と、スプールと、防水部材と、を備えている。リール本体は、第１側板と、第１側板と軸方向に間隔をあけて配置された第２側板と、を有している。スプールは、第１側板と前記第２側板との間に回転可能に配置され、外周に釣糸を巻き付け可能な糸巻胴部と、第１フランジ部と、第２フランジ部と、を有している。第１フランジ部は、糸巻胴部の第１側板側の一端に糸巻胴部よりも大径に形成されている。第２フランジ部は、糸巻胴部の第２側板側の一端に糸巻胴部よりも大径に形成されている。防水部材は、環状であり、リール本体の第１側板側に配置されている。第１フランジ部は、第１フランジ部から軸方向外方に延びるとともに第１フランジ部の最外径部よりも小径である環状のリブを有している。防水部材は、第１フランジ部のリブの内周面に対向かつ近接して配置されている。
【０００７】
この両軸受リールでは、第１フランジ部のリブと防水部材とによって、リール本体とスプールとの間の隙間から入り込んだ水が、スプールの第１フランジ部の内周を伝って軸受部材の内部に浸入するのを抑えることができる。これにより、簡単な構成で軸受部材の内部への水の浸入を抑えることができる。さらには、リブを設けることでスプール強度の向上を図ることができる。
【０００８】
好ましくは、防水部材は、円板状であり、第１フランジ部のリブの内周面に対向かつ近接して配置された第１外周部と、第１外周部の外径よりも小径であり第１外周部よりも軸方向外方に設けられた第２外周部と、を有している。この場合は、スプールの第１フランジ部の内周を伝って浸入してきた水が、第２外周部に誘導されて、第２外周部からリール本体の第１側板側へ誘導されるため、軸受部材の内部への水の浸入をさらに抑えることができる。
【０００９】
好ましくは、リール本体は、第１側板側から糸巻胴部側に向かって突出するとともに第１フランジ部の内周部に配置されるボス部をさらに有している。防水部材は、弾性材料で形成されるとともにボス部の外周に装着され、第１フランジ部の内周部とボス部の外周部との間に浸入する水を抑える。この場合は、簡易な構成で軸受部材の内部への水の浸入を抑えることができる。
【００１０】
好ましくは、スプールの第１フランジ部は、第１フランジ部のリブよりも内周側において第１フランジ部から軸方向外方に突出して形成された少なくとも１つの環状の凸部をさらに有している。凸部は、第１フランジ部のリブよりも軸方向の長さが短い。この場合は、水がリブを伝ってさらにスプールの内部に浸入してきたとしても、凸部が水の浸入の妨げになって軸受部材の内部への水の浸入を抑えることができる。また、凸部を設けることでスプール強度の向上を図ることができる。
【００１１】
好ましくは、リブの内周面は、軸方向外方に延びるにしたがってリブの内周面の外径が徐々に大きくなるように傾斜するテーパ面である。この場合は、スプールの回転に伴う遠心力によって水が径方向外方へ移動するとき、テーパ面によって水がスプールの外部にスムーズに排出される。また、スプールが回転していない場合においても、テーパ面によって水がスプールの外部にスムーズに排出される。
【００１２】
好ましくは、リブの外周面は、軸方向外方に延びるにしたがってリブの外周面の外径が徐々に小さくなるように傾斜するテーパ面である。この場合は、スプールの第１フランジ部の内周を伝ってきた水を、防水部材のリール本体の第１側板側に誘導することができるため、軸受部材の内部への水の浸入をさらに抑えることができる。
【発明の効果】
【００１３】
本発明によれば、簡単な構成で軸受部材の内部への水の浸入を抑えることができる両軸受けリールを提供することができる。
【図面の簡単な説明】
【００１４】
【図１】本発明の一実施形態を採用した両軸受けリールの側面図。
【図２】図１のII−II線断面図。
【図３】図２のスプールフランジ部の部分拡大断面図。
【図４】本発明の第２実施形態に係る両軸受リールの図３に相当する図。
【図５】本発明の他の実施形態に係る両軸受リールの図３に相当する図。
【図６】本発明の他の実施形態に係る両軸受リールの図３に相当する図。
【発明を実施するための形態】
【００１５】
［第１実施形態］
本発明の一実施形態が採用された両軸受リール１００は、図１及び図２に示すように、リール本体１と、スプール２と、ハンドル３と、回転伝達機構４と、防水部材５と、を備えている。
【００１６】
なお、以降の説明で言う前後左右は、両軸受リール１００を釣り竿に装着された状態で釣り糸が繰り出される方向が前であり、両軸受リール１００を後方から見た状態で左右を表している。
【００１７】
リール本体１は、フレーム６と、フレーム６の両側を覆うように装着された第１側カバー７及び第２側カバー８と、フレーム６の前方に装着された前カバー（図示しない）と、機構装着板９と、を有している。
【００１８】
フレーム６は、図２に示すように所定の間隔をあけて互いに対向するように配置された第１側板６ａ及び第２側板６ｂと、第１側板６ａと第２側板６ｂとを連結する複数の連結部６ｃと、装着部６ｄと、を有している。
【００１９】
第１側板６ａは、スプール２の取り出し用の円形の開口６ｅが形成された概ね板状の部材である。第２側板６ｂは、第２側カバー８に一体的に形成されている。装着部６ｄは、前後方向に延びており、装着部６ｄの下面側には釣竿が装着される。
【００２０】
機構装着板９は、第１側板６ａと第１側カバー７との間に配置されている。機構装着板９と第１側カバー７との間には、回転伝達機構４が収容されている。
【００２１】
スプール２は、図２に示すように、第１側板６ａと第２側板６ｂとの間に回転可能に配置されている。スプール２は、スプール２の中央を貫通するスプール軸１０に固定されて、スプール軸１０と一体的に回転する。スプール軸１０の両端は、機構装着板９のボス部９ａ及び第２側カバー８のボス部８ａに配置された軸受部材１１ａ，１１ｂにより、リール本体１に対して回転自在に支持されている。
【００２２】
スプール２は、糸巻胴部１２と、第１フランジ部１３と、第２フランジ部１４と、を有している。糸巻胴部１２は、外周に釣糸が巻きつけられる部分である。
【００２３】
第１フランジ部１３は、図３に示すように、糸巻胴部１２の第１側板６ａ側の一端に形成されている。第１フランジ部１３の外径は、糸巻胴部１２の外径よりも大径に形成されている。第１フランジ部１３の先端部分は、スプール軸１０に平行な円筒面１３ａで形成されている。円筒面１３ａの外周面は、第１側板６ａの内周面に対向して配置されている。詳細には、円筒面１３ａの外周面と第１側板６ａの内周面とが接触しないように、円筒面１３ａの外周面と第１側板６ａの内周面との間には僅かな隙間が設けられている。第１フランジ部１３は、リブ１３ｂと、少なくとも１つの凸部１３ｃと、を有している。
【００２４】
リブ１３ｂは、円環状であり、第１フランジ部１３から軸方向外方（第１側板６ａ側）に向かって、スプール軸１０に平行に延びている。リブ１３ｂの外径は、第１フランジ部１３の最外径部よりも小径である。このリブ１３ｂを第１フランジ部１３に設けることで、スプール２の第１フランジ部１３の内周を伝って軸受部材１１ａの内部に浸入しようとする水を抑えることができる。さらには、リブ１３ｂを設けることでスプール２の強度の向上を図ることができる。
【００２５】
凸部１３ｃは、円環状であり、リブ１３ｂよりも内周側において第１フランジ部１３から軸方向外方（第１側板６ａ側）に向かって突出して形成されている。凸部１３ｃは、スプール軸１０に平行に突出している。また、凸部１３ｃの軸方向の長さは、リブ１３ｂの軸方向の長さよりも短い。ここでは、２つの凸部１３ｃが第１フランジ部１３に形成されている。凸部１３ｃを設けることで、水がリブ１３ｂを伝ってスプール２のさらに内部に浸入してきたとしても、凸部１３ｃが水の浸入の妨げになり、軸受部材１１ａの内部への水の浸入を抑えることができる。また、凸部１３ｃを設けることでスプール２の強度の向上を図ることもできる。
【００２６】
第２フランジ部１４は、糸巻胴部１２の第２側板６ｂ側の一端に形成されている。第２フランジ部１４の外径は、糸巻胴部１２の外径よりも大径に形成されている。第２フランジ部１４の先端部分は、スプール軸１０に平行な円筒面１４ａで形成されている。円筒面１４ａの外周面は、第２側板６ｂの内周面に対向して配置されている。詳細には、円筒面１４ａの外周面と第２側板６ｂの内周面とが接触しないように、円筒面１４ａの外周面と第２側板６ｂの内周面との間には僅かな隙間が設けられている。
【００２７】
ハンドル３は、図１に示すように、第１側カバー７の側部に回転可能に装着されている。ハンドル３を回転操作することによって、回転伝達機構４を介してスプール２が駆動される。
【００２８】
回転伝達機構４は、図２に示すように、駆動軸１５と、駆動ギア１６と、筒状のピニオンギア１７と、を有している。回転伝達機構４は、ハンドル３の回転をスプール２に伝達する機構である。回転伝達機構４は、第１側カバー７内に配置されている。
【００２９】
駆動軸１５は、ハンドル３と連結されており、ハンドル３と一体的に回転する。なお、駆動軸１５は、駆動軸１５の外周に配置されるワンウェイクラッチ１８によって、釣糸繰り出し方向への回転が禁止されている。
【００３０】
駆動ギア１６は、駆動軸１５に装着され、駆動軸１５と一体的に回転する。
【００３１】
ピニオンギア１７は、駆動ギア１６にかみ合う。
【００３２】
防水部材５は、図３に示すように、円板状の部材であり、リール本体１の機構装着板９のボス部９ａの外周に当接して配置されている。ボス部９ａは、第１側板６ａ側から糸巻胴部１２側に向かって突出するとともに第１フランジ部１３の内周部に配置されている。防水部材５は、リブ１３ｂよりも内周側でスプール２の第１フランジ部１３に対向して配置されている。また、防水部材５は、複数のねじ部材２０によって、環状のシール部材２１を介してリール本体１に固定されている。
【００３３】
シール部材２１は、ボス部９ａの外周に設けられた鍔部９ｂと防水部材５とに当接して配置され、防水部材５の内周部とボス部９ａの外周部との間をシールしている。
【００３４】
防水部材５は、第１外周部５ａと、第２外周部５ｂと、を有している。第１外周部５ａは、リブ１３ｂの内周面に対向かつ近接して配置されている。
【００３５】
第２外周部５ｂは、第１外周部５ａよりも軸方向外方（第１側カバー７側）に設けられている。第２外周部５ｂの外径は、第１外周部５ａの外径よりも小径に形成されている。このため、第１外周部５ａと第２外周部５ｂとの間には段差２２が形成される。これにより、スプール２の第１フランジ部１３の内周を伝って浸入してきた水が、リブ１３ｂから第２外周部５ｂに誘導される。第２外周部５ｂに誘導された水は、段差２２が壁となって第２外周部５ｂからリール本体１の第１側板６ａ側へ誘導される。第１側板６ａ側へ誘導された水は、リール本体１に設けられた図示しない水抜き孔等によってリール本体１の外部に放出される。このように、第１側板６ａ側へ水を誘導する段差２２を設けることで、軸受部材１１ａの内部への水の浸入をさらに抑えることができる。
【００３６】
なお、ここでは、第２外周部５ｂは、リブ１３ｂの内周面に対向していないが、第２外周部５ｂの一部、又は全部がリブ１３ｂの内周面に対向して配置されている場合においても、段差２２を設けることで同様の効果を得ることができる。
【００３７】
［第２実施形態］
以下、第２実施形態について説明する。本発明に係る第２実施形態の両軸受リールは、防水部材１０５に関連する構成を除いて、第１実施形態と同様である。このため、第１実施形態と同様の構成については、説明を省略する。
【００３８】
環状の防水部材１０５は、図４に示すように、リール本体１の第１フランジ部１３の内周部に配置されている。詳細には、防水部材１０５は、第１側板６ａ側から糸巻胴部１２側部に向かって突出するボス部９ａの外周に装着されている。防水部材１０５は、ボス部９ａの鍔部９ｂと、ボス部９ａの先端から径方向外方に突起した突起部９ｃによって、軸方向の移動が規制されている。
【００３９】
防水部材１０５は、径方向外方に延びるリップ部１０５ａを有している。リップ部１０５ａは、先端がリール本体１側に接近するように径方向外側に傾斜している。リップ部１０５ａの先端は、第１フランジ部１３のリブ１３ｂの内周面に当接可能に配置されている。
【００４０】
＜他の実施形態＞
以上、本発明の実施形態について説明したが、本発明はこれらに限定されるものではなく、本発明の趣旨を逸脱しない限りにおいて種々の変更が可能である。
【００４１】
（ａ）前記実施形態では、第１フランジ部１３のリブ１３ｂが第１フランジ部１３から軸方向外方（第１側板６ａ側）に向かってスプール軸１０に平行に延びていたが、図５に示すように、リブ１３ｂの内周面は、軸方向外方に延びるにしたがってリブ１３ｂの内周面の外径が徐々に大きくなるように傾斜するテーパ面でもよい。また、リブの外周面は、図６に示すように、軸方向外方に延びるにしたがってリブ１３ｂの外周面の外径が徐々に小さくなるように傾斜するテーパ面でもよい。さらに、これらを組み合わせて、図６に示すように、リブ１３ｂの内周面および外周面の外周面をテーパ面にしてもよい。また、第２実施形態においても、リブ１３ｂの内周面又は外周面をテーパ面、もしくは内周面および外周面ともにテーパ面にしてもよい。
【００４２】
（ｂ）防水部材５の第２外周部５ｂを、第２外周部を軸方向に延びるにしたがって、徐々に外径が小さくなるように傾斜するテーパ面で構成してもよい。この場合も、スプール２の内部に浸入してきた水を第１側板側へ誘導することができる。
【００４３】
（ｃ）前記実施形態では、防水部材５およびリブ１３ｂを第１フランジ部１３側のみに設けていたが、第２フランジ部１４側のみ、又は、第１及び第２フランジ部１３，１４側の両方に設けてもよい。
【００４４】
（ｄ）前記実施形態では、凸部１３ｃがスプール軸１０に平行に突出していたが、凸部１３ｃの外周面は、軸方向外方に延びるにしたがって外周面の外径が徐々に大きくなるように傾斜するテーパ面にしてもよい。この場合は、凸部１３ｃまで水が浸入してきた場合に、スプール２の回転に伴う遠心力によって水をスプール２の外部にスムーズに排出することができる。
【符号の説明】
【００４５】
１  リール本体
２  スプール
５，１０５  防水部材
５ａ  第１外周部
５ｂ  第２外周部
６ａ  第１側板
６ｂ  第２側板
９ａ  ボス部
１２  糸巻胴部
１３  第１フランジ部
１３ｂ  リブ
１３ｃ  凸部
１４  第２フランジ部